(57)【要約】【課題】  巻取紙の損紙の量を低減できると共に、テーブル上へのワンプ及び巻取紙のめくり出しを円滑且つ確実に行える。【解決手段】  ワンプ付の巻取紙Ｐを支持する吊り上げ装置１と、ワンプを切断剥離するワンプ剥離装置２と、巻取紙Ｐの表層部分を切断剥離する巻取紙切断剥離装置６と、巻取紙Ｐの先端部分を支持するテーブル７と、巻取紙Ｐを切断加工するカッター装置８と、巻取紙Ｐの先端部にテープ７３を貼着するテープ貼着装置１０とを備えた巻取紙の自動紙継ぎ用処理装置に於いて、吊り上げ装置１に支持された巻取紙Ｐの上方位置に、切断されたワンプの一方の切断端部を吸着保持して持ち上げる真空吸着盤４６を備えたワンプ切断端持ち上げ装置４を配設し、又、テーブル７の先端部上方位置に、ワンプ切断端持ち上げ装置４からワンプの切断端部を受け取ってテーブル７上へ案内する巻取紙Ｐの繰り出し方向へ進退移動自在なワンプガイド板５１を備えたワンプガイド装置５を配設する。【選択図】      図３
2008290787.tif 000002
【特許請求の範囲】
【請求項１】
外周面がワンプで覆われた巻取紙（Ｐ）を水平姿勢で正逆回転自在に支持する吊り上げ装置（１）と、吊り上げ装置（１）に支持された巻取紙（Ｐ）のワンプを巻取紙（Ｐ）の幅方向に沿って切断して剥離するワンプ剥離装置（２）と、ワンプが剥離された巻取紙（Ｐ）の表層部分を幅方向に沿って切断して巻取紙（Ｐ）の先端部をめくり出す巻取紙切断剥離装置（６）と、巻取紙（Ｐ）から繰り出された巻取紙（Ｐ）の先端部分を支持するテーブル（７）と、テーブル（７）上に繰り出された巻取紙（Ｐ）の繰り出し部分を所定の形状に切断加工するカッター装置（８）と、切断加工された巻取紙（Ｐ）の先端部にテープ（７３）を貼着するテープ貼着装置（１０）とを備えた巻取紙の自動紙継ぎ用処理装置に於いて、吊り上げ装置（１）に支持された巻取紙（Ｐ）の上方位置に、巻取紙（Ｐ）の幅方向に沿って切断されたワンプの一方の切断端部を吸着保持して持ち上げる真空吸着盤（４６）を備えたワンプ切断端持ち上げ装置（４）を配設し、又、テーブル（７）の先端部上方位置に、ワンプ切断端持ち上げ装置（４）により持ち上げられたワンプの切断端部近傍へ移動してワンプ切断端持ち上げ装置（４）からワンプの切断端部を受け取ってテーブル（７）上へ案内する巻取紙（Ｐ）の繰り出し方向へ進退移動自在なワンプガイド板（５１）を備えたワンプガイド装置（５）を配設したことを特徴とする巻取紙の自動紙継ぎ用処理装置。
【請求項２】
吊り上げ装置（１）に支持された巻取紙（Ｐ）の両端部上方位置にワンプ切断端持ち上げ装置（４）を、又、テーブル（７）の先端部両側上方位置にワンプガイド装置（５）を夫々巻取紙（Ｐ）の幅方向へ往復移動自在に配設し、前記両ワンプ切断端持ち上げ装置（４）の真空吸着盤（４６）によりワンプの一方の切断端両端部を同時に吸着保持して持ち上げ、当該ワンプの切断端両端部を前記両ワンプガイド装置（５）のワンプガイド板（５１）へ夫々受け渡すようにしたことを特徴とする請求項１に記載の巻取紙の自動紙継ぎ用処理装置。
【請求項３】
テーブル（７）の先端部（７ａ）を巻取紙（Ｐ）の繰り出し方向に沿って進退移動自在に構成し、巻取紙（Ｐ）のテーブル（７）上へのめくり出し時にテーブル（７）の先端部（７ａ）先端を巻取紙（Ｐ）の切断端へ近接させるようにしたことを特徴とする請求項１に記載の巻取紙の自動紙継ぎ用処理装置。
【発明の詳細な説明】
【技術分野】
【０００１】
本発明は、新聞の印刷工場や雑誌、書籍等の印刷工場に於いて用いられるものであり、新聞印刷用の巻取紙や商業印刷用の巻取紙を保管している紙庫から印刷用輪転機へ到る巻取紙の搬送経路に設置され、巻取紙の外周面を覆っているワンプ（低級紙）を切断除去して巻取紙の先端部に紙継ぎ用の前処理を施す巻取紙の自動紙継ぎ用処理装置の改良に関するものである。
【背景技術】
【０００２】
一般に、印刷工場に搬入されて来る新聞印刷用の巻取紙や商業印刷用の巻取紙は、運搬中の損傷や巻き締めの弛み等を防止するため、巻取紙の外周面がワンプ（低級紙）で覆われて保護されている。これらの巻取紙は、印刷用輪転機の給紙部へ供給する前の準備段階に於いて、ワンプの切断除去処理と巻取紙の紙継ぎ用の前処理とが行われている。
【０００３】
従来、ワンプの切断除去処理と巻取紙の紙継ぎ用の前処理とを一台の機械で行う装置としては、例えば本件出願人が先に特許出願した特開平７−２３２８４５号公報（特許文献１）に開示された巻取紙の自動紙継ぎ用処理装置や特開平８−１５１１４６号公報（特許文献２）に開示された巻取紙の自動紙継ぎ用処理装置、特開２００１−３２２７４５号公報（特許文献３）に開示された巻取紙処理装置が知られている。
【０００４】
前記自動紙継ぎ用処理装置や巻取紙処理装置は、何れもワンプ及び巻取紙の表層部分の切断剥離、巻取紙の切断端部のテーブル上へのめくり出し、テーブル上での巻取紙の切断加工、巻取紙への両面粘着テープの貼着、巻取紙へのタブの貼着、巻取紙先端部の巻き戻し等の各工程を同じ場所で連続的に且つ自動的に行うようにしているため、人件費の削減や作業能率の大幅な向上を図れると云う利点がある。
【０００５】
しかし、前記各装置は、何れもワンプと巻取紙の表層部分をカッター装置により巻取紙の幅方向へ同時に切断するようにしているため、ワンプの厚みや巻き数がまちまちの場合には、巻取紙の表層部分を必要以上に切断して無駄を生じると云う問題があった。特に、巻取紙の表層部分を必要以上に切断した場合には、損紙の量が増えるだけでなく、損紙の処理を円滑且つスムースに行えないことになる。
又、各装置は、テーブルの先端が巻取紙の切断端から少し離れた位置にあるため、巻取紙の幅方向に切断されたワンプや巻取紙の切断端部をテーブル上へめくり出す際に、ワンプの切断端部や巻取紙の切断端部がテーブル上へうまくめくり出せないと云う問題がしばしば発生している。特に、比較的厚みのあるワンプや裏面側に油紙等を糊付けしたワンプをテーブル上めくり出す場合には、ワンプの一部分がテーブルの先端に引っ掛かり易く、ワンプのテーブルへのめくり出しをうまく行えないと云う問題があった。
【特許文献１】特開平７−２３２８４５号公報
【特許文献２】特開平８−１５１１４６号公報
【特許文献３】特開２００１−３２２７４５号公報
【発明の開示】
【発明が解決しようとする課題】
【０００６】
本発明は、このような問題点に鑑みて為されたものであり、その目的は、巻取紙の外周面を覆っているワンプのみを切断除去して巻取紙の損紙の量を低減することができると共に、テーブル上へのワンプ及び巻取紙のめくり出しを円滑に且つ確実に行えるようにした巻取紙の自動紙継ぎ用処理装置を提供することにある。
【課題を解決するための手段】
【０００７】
上記目的を達成するために、本発明の請求項１の発明は、外周面がワンプで覆われた巻取紙を水平姿勢で正逆回転自在に支持する吊り上げ装置と、吊り上げ装置に支持された巻取紙のワンプを巻取紙の幅方向に沿って切断して剥離するワンプ剥離装置と、ワンプが剥離された巻取紙の表層部分を幅方向に沿って切断して巻取紙の先端部をめくり出す巻取紙切断剥離装置と、巻取紙から繰り出された巻取紙の先端部分を支持するテーブルと、テーブル上に繰り出された巻取紙の繰り出し部分を所定の形状に切断加工するカッター装置と、切断加工された巻取紙の先端部にテープを貼着するテープ貼着装置とを備えた巻取紙の自動紙継ぎ用処理装置に於いて、吊り上げ装置に支持された巻取紙の上方位置に、巻取紙の幅方向に沿って切断されたワンプの一方の切断端部を吸着保持して持ち上げる真空吸着盤を備えたワンプ切断端持ち上げ装置を配設し、又、テーブルの先端部上方位置に、ワンプ切断端持ち上げ装置により持ち上げられたワンプの切断端部近傍へ移動してワンプ切断端持ち上げ装置からワンプの切断端部を受け取ってテーブル上へ案内する巻取紙の繰り出し方向へ進退移動自在なワンプガイド板を備えたワンプガイド装置を配設したことに特徴がある。
【０００８】
本発明の請求項２の発明は、吊り上げ装置に支持された巻取紙の両端部上方位置にワンプ切断端持ち上げ装置を、又、テーブルの先端部両側上方位置にワンプガイド装置を夫々巻取紙の幅方向へ往復移動自在に配設し、前記両ワンプ切断端持ち上げ装置の真空吸着盤によりワンプの一方の切断端両端部を同時に吸着保持して持ち上げ、当該ワンプの切断端両端部を前記両ワンプガイド装置のワンプガイド板へ夫々受け渡すようにしたことに特徴がある。
【０００９】
本発明の請求項３の発明は、テーブルの先端部を巻取紙の繰り出し方向に沿って進退移動自在に構成し、巻取紙のテーブル上へのめくり出し時にテーブルの先端部先端を巻取紙の切断端へ近接させるようにしたことに特徴がある。
【発明の効果】
【００１０】
本発明の巻取紙の自動紙継ぎ用処理装置は、吊り上げ装置に支持された巻取紙のワンプを巻取紙の幅方向に沿って切断して剥離するワンプ剥離装置と、ワンプが剥離された巻取紙の表層部分を幅方向に沿って切断して巻取紙の先端部をテーブル上へめくり出す巻取紙切断剥離装置とを備え、ワンプと巻取紙の表層部分との切断剥離を別々に行うようにしているため、従来の装置のように巻取紙の表層部分が必要以上に切断剥離されると云うことがなく、巻取紙の損紙の量を低減することができる。
又、本発明の巻取紙の自動紙継ぎ用処理装置は、巻取紙の上方位置に配設したワンプ切断端持ち上げ装置の真空吸着盤により巻取紙の幅方向に沿って切断されたワンプの切断端部を吸着保持して持ち上げ、この状態でテーブルの先端部上方位置に配設したワンプガイド装置のワンプガイド板をワンプの切断端部近傍へ移動させ、当該ワンプガイド板によりワンプの切断端部を受け取ってテーブル上へ案内するようにしているため、切断されたワンプの切断端がテーブルの先端へ引っ掛かると云うことがなく、ワンプをテーブル上へ円滑且つスムースに案内することができ、テーブル上へのワンプのめくり出しを円滑に且つ確実に行うことができる。
更に、本発明の巻取紙の自動紙継ぎ用処理装置は、吊り上げ装置に支持された巻取紙の上方位置に一対のワンプ切断端持ち上げ装置を巻取紙の幅方向へ往復移動自在に配設すると共に、テーブルの先端部上方位置に一対のワンプガイド装置を巻取紙の幅方向へ往復移動自在に配設し、前記両ワンプ切断端持ち上げ装置によりワンプの切断端両端部を同時に吸着保持して持ち上げ、当該ワンプの切断端両端部を前記両ワンプガイド装置のワンプガイド板へ夫々受け渡すようにしているため、切断されたワンプをテーブル上へより一層円滑に且つスムースに案内することができると共に、巻取紙の幅に関係なく、切断されたワンプをテーブル上へ案内することができる。
加えて、本発明の巻取紙の自動紙継ぎ用処理装置は、テーブルの先端部を巻取紙の繰り出し方向に沿って往復移動自在に構成し、巻取紙のテーブル上へのめくり出し時にテーブルの先端部先端を巻取紙の切断端へ近接させるようにしているため、テーブル上への巻取紙のめくり出しを円滑に且つ確実に行うことができる。
【発明を実施するための最良の形態】
【００１１】
以下、本発明の実施の形態を図面に基づいて詳細に説明する。
図１及び図２は本発明の実施の形態に係る巻取紙の自動紙継ぎ用処理装置を示し、当該巻取紙の自動紙継ぎ用処理装置は、新聞を印刷する印刷用輪転機や雑誌・書籍等を印刷する印刷用輪転機への巻取紙Ｐの搬入経路に据え付けられており、外周面がワンプで覆われた新聞印刷用の巻取紙Ｐや商業印刷用の巻取紙Ｐのワンプを切断除去して巻取紙Ｐに紙継ぎ用の前処理を施すものである。
【００１２】
即ち、前記巻取紙の自動紙継ぎ用処理装置は、巻取紙Ｐのワンプを切断剥離してから巻取紙Ｐの表層部分を切断剥離して巻取紙Ｐの奇麗な部分をめくり出し、巻取紙Ｐのめくり出した部分を斜め幅方向に切断加工すると共に、切断加工した巻取紙Ｐの先端部表面に両面粘着テープとタブを一体化した構造の紙継ぎ用前処理テープ７３を突出状態で貼着した後、巻取紙Ｐの先端部を巻き戻して紙継ぎ用前処理テープ７３により巻取紙Ｐの外表面へ止めるようにしたものであり、吊り上げ装置１と、ワンプ剥離装置２と、ワンプ押え装置３と、ワンプ切断端持ち上げ装置４と、ワンプガイド装置５と、巻取紙切断剥離装置６と、テーブル７と、カッター装置８と、隅切りカッター装置９と、テープ貼着装置１０と、扱き装置１１と、押圧装置１２と、ワンプ・損紙処理装置１３と、リフター装置１４とから構成されている。
尚、紙継ぎ用処理装置の各装置１〜１４は、何れもコンピュータ等の制御装置１５からの予め設定された信号に基づいて自動制御されている。
【００１３】
前記吊り上げ装置１は、無人搬送車１６により搬送されて来たワンプ付の巻取紙Ｐを受け取ってこれを水平姿勢で正逆回転自在に支持すると共に、紙継ぎ用の前処理が施された巻取紙Ｐを再度無人搬送車１６へ積み込むものであり、図１乃至図４に示す如く、床面に設置した門形フレーム１７と、門形フレーム１７の上面に配設したガイドレール１８に無人搬送車１６上の巻取紙Ｐの幅方向へ往復移動自在に支持された左右の吊り下げ台１９と、門形フレーム１７と左右の吊り下げ台１９との間に介設され、左右の吊り下げ台１９を巻取紙Ｐの幅方向へ往復移動させる流体圧シリンダ２０と、左右の吊り下げ台１９に昇降自在に支持され、無人搬送車１６上の巻取紙Ｐの筒状心材に挿入される回転自在な支持軸２１を備えた左右のアーム２２と、左右のアーム２２を同期的に昇降動させるアーム昇降用駆動部２３と、左のアーム２２の下端部に設けられ、左のアーム２２の支持軸２１を正逆回転させる巻取紙回転用モータ２４と、門形フレーム１７と左右の吊り下げ台１９との間に介設され、左右の吊り下げ台１９を近接する方向又は離間する方向へ同期的に往復移動させるラック２５ａ及びピニオン２５ｂから成るチャッキング同調機構２５と、巻取紙Ｐの筒状心材の位置を検出する心材検出センサー（図示省略）等から構成されている。
又、アーム昇降用駆動部２３は、図４に示す如く、門形フレーム１７に巻取紙Ｐの軸心に沿って回転自在に支持され、左右の吊り下げ台１９に摺動自在に挿通されたスプライン軸２３ａと、門形フレーム１７に設けられ、スプライン軸２３ａを正逆回転させる減速機付モータ２３ｂと、左右のアーム２２に設けた縦向き姿勢のラック２３ｃと、スプライン軸２３ａに嵌合され、左右のアーム２２のラック２３ｃに噛合するピニオン２３ｄとから成り、減速機付モータ２３ｂによりスプライン軸２３ａを正逆回転させると、ピニオン２３ｄ及びラック２３ｃを介して左右のアーム２２が同期的に昇降動するように構成されている。
更に、左右のアーム２２の先端部２２ａは、上下方向へ揺動自在に構成されており、左右のアーム２２に設けた流体圧シリンダ２６によって、無人搬送車１６上の巻取紙Ｐの端面側方に位置する吊り下げ位置（図１の実線位置）と、無人搬送車１６上の巻取紙Ｐの上方に位置して無人搬送車１６による巻取紙Ｐの通過を許容し得る待避位置（図１の一点鎖線位置）とに亘って揺動自在となっている。
【００１４】
尚、図示していないが、左右のアーム２２には、紙継ぎ用の前処理が施された巻取紙Ｐの先端部両側端に、巻取紙Ｐの紙継ぎ部分を検出するための短冊状の耳紙を側方へ突出する状態で貼着する耳紙貼着装置が設けられている。この耳紙貼着装置には、例えば特開平９−２３４８５４号公報に開示された構造のものが使用されている。
【００１５】
而して、前記吊り上げ装置１によれば、ワンプ付の巻取紙Ｐを積載した無人搬送車１６が門形フレーム１７内で停止すると、先ず、左右のアーム２２の先端部が待避位置から吊り下げ位置へ揺動して無人搬送車１６上の巻取紙Ｐの両端面に対向し、次に、左右のアーム２２が同期的に下降して心材検出センサーによる巻取紙Ｐの筒状心材の位置検出に基づいて高さ調整され、その後、左右の吊り下げ台１９が近接する方向へ同期的に移動して左右のアーム２２の支持軸２１を巻取紙Ｐの筒状心材に夫々挿入すると共に、この状態で左右のアーム２２がアーム昇降用駆動部２３により所定の高さ位置まで同期的に上昇する。これによって、吊り上げ装置１は、無人搬送車１６上の巻取紙Ｐを吊り上げることができ、又、巻取紙Ｐを吊り上げた状態で左のアーム２２の支持軸２１を巻取紙回転用モータ２４で正逆回転させることによって、巻取紙Ｐを水平姿勢で正逆回転自在に支持することができる。
【００１６】
前記ワンプ剥離装置２は、吊り上げ装置１に水平姿勢で支持された巻取紙Ｐのワンプ（ワンプの横向き部分の個所）を巻取紙Ｐの幅方向に沿って切断して剥離するものであり、図１、図５乃至図７に示す如く、床面に設置した支持フレーム２７上にガイドレール２８を介して巻取紙Ｐの幅方向へ往復移動自在に支持された走行台２９と、走行台２９を往復移動させるモータ３０ａ及び伝動機構３０ｂから成る走行台用駆動部３０と、走行台２９上にガイドレール３１を介して巻取紙Ｐの直径方向へ水平移動自在に支持された移動フレーム３２と、支持フレーム２７と移動フレーム３２との間に設けられ、移動フレーム３２を水平方向へ往復移動させる流体圧シリンダ３３と、移動フレーム３２に設けられ、巻取紙Ｐの端面側へ折り曲げられているワンプの耳部（ワンプの横向き部分に位置する耳部）を引き起こす巻取紙Ｐの直径方向及び幅方向並びに上下方向へ移動自在な耳起こし部材３４ａを備えた耳起こしユニット３４と、移動フレーム３２に設けられ、引き起こされたワンプの耳部を真空吸引して耳部と巻取紙Ｐの外表面との間に隙間を形成する巻取紙Ｐの直径方向へ水平移動自在で且つ揺動自在な真空吸着盤３５ａを備えたバキュームユニット３５と、移動フレーム３２に設けられ、バキュームユニット３５に真空吸着保持されたワンプの耳部を切断する巻取紙Ｐの直径方向へ水平移動自在な円形のカッター刃３６ａを備えたロータリーカッターユニット３６と、移動フレーム３２に設けられ、ロータリーカッターユニット３６により切断されたワンプの耳部と巻取紙Ｐの外表面との隙間に差し込まれる巻取紙Ｐの直径方向及び幅方向へ水平移動自在な楔状のガイド部材３７ａを備えたスクイーズユニット３７と、移動フレーム３２に設けられ、ロータリーカッターユニット３６により切断されたワンプの耳部と巻取紙Ｐの外表面との隙間に差し込まれてワンプの横向き部分の個所を巻取紙Ｐの幅方向に亘って切断する巻取紙Ｐの直径方向及び幅方向へ水平移動自在なヘラ状のカッター刃３８ａを備えたカッターユニット３８と、移動フレーム３２に設けられ、移動フレーム３２が巻取紙Ｐ側へ移動したときに巻取紙Ｐのワンプに当接して移動フレーム３２を所定の位置で停止させるローラ３９ａを備えたセンサーユニット３９とから構成されている。
【００１７】
而して、このワンプ剥離装置２によれば、先ず、移動フレーム３２が前進し、センサーユニット３９のローラ３９ａが吊り上げ装置１に支持されている巻取紙Ｐのワンプに当接した時点で移動フレーム３２が停止する。次に、耳起こしユニット３４が作動してその耳起こし部材３４ａが巻取紙Ｐの端面側へ折り曲げられているワンプの一方の耳部（ワンプの横向き部分に位置する耳部）を引き起こす。この状態でバキュームユニット３５が作動してその真空吸着盤３５ａが引き起こされたワンプの耳部を吸着保持し、ワンプの耳部と巻取紙Ｐの外表面との間に隙間を形成する。引き続きロータリーカッターユニット３６が作動し、その円形のカッター刃３６ａが真空吸着盤３５ａに吸着保持されたワンプの耳部を切断する。これにより、カッターユニット３８によるワンプの切断を行い易くなる。その後、スクイーズユニット３７及びカッターユニット３８が順次作動し、スクイーズユニット３７の楔状のガイド部材３７ａがワンプの切断された耳部と巻取紙Ｐの外表面との隙間に差し込まれると共に、カッターユニット３８のヘラ状のカッター刃３８ａがワンプの切断された耳部と巻取紙Ｐの外表面との隙間に差し込まれる。この状態で走行台２９が走行台用駆動部３０により巻取紙Ｐの幅方向に走行する。これによって、巻取紙Ｐの外周面に巻き付けられたワンプは、その横向き部分の個所が巻取紙Ｐの幅方向へ走行するガイド部材３７ａにより巻取紙Ｐの外表面から離間する方向へ持ち上げながら、巻取紙Ｐの幅方向へ走行するヘラ状のカッター刃３８ａにより幅方向に亘って切断される。このとき、ヘラ状のカッター刃３８ａは、コイルスプリングにより巻取紙Ｐ側へ水平移動可能に附勢保持されているため、巻取紙Ｐの外表面に凹凸が生じている場合でも、巻取紙Ｐの外表面に良好に追従しつつ走行移動してワンプのみを確実に切断する。
【００１８】
前記ワンプ押え装置３は、巻取紙Ｐの幅方向に沿って切断されたワンプの下側の切断端部が下方へ垂れ下がるのを防止するものであり、図１に示す如く、支持フレーム２７に配設され、巻取紙Ｐに巻き付けられたワンプの外表面側へ向う流体圧シリンダ３ａと、流体圧シリンダ３ａのロッドに取り付けられ、ワンプの横向き部分の個所に当接自在なワンプ押えローラ３ｂとから成り、ワンプ剥離装置２によりワンプを切断する際に、流体圧シリンダ３ａを伸長動作させてワンプ押えローラ３ｂをワンプの横向き部分の少し下側に押し付けることによって、ワンプの下側の切断端が下方へ垂れ下がるのを防止することができる。
【００１９】
前記ワンプ切断端持ち上げ装置４は、吊り上げ装置１に支持された巻取紙Ｐの両端部上方位置に夫々巻取紙Ｐの幅方向へ往復移動自在に配設されており、巻取紙Ｐの幅方向に沿って切断されたワンプの一方の切断端両端部を吸着保持して巻取紙Ｐの外表面から持ち上げるものである。
即ち、両ワンプ切断端持ち上げ装置４は、吊り上げ装置１の左右の吊り下げ台１９に夫々垂下状態で取り付けられており、図３、図４及び図８に示す如く、吊り下げ台１９に垂設された支持部材４０にガイドレール４１を介して昇降自在に支持された昇降部材４２と、支持部材４０と昇降部材４２との間に介設され、昇降部材４２を昇降動させる流体圧シリンダ４３と、昇降部材４２に設けられ、巻取紙Ｐの回転時に切断されたワンプを巻取紙Ｐの外表面側へ押え付けると共に、巻取紙Ｐの高さ位置を検出するローラ４４ａ、流体圧シリンダ４４ｂ及びリミットスイッチ（図示省略）等から成るワンプ押え兼高さ検出機構４４と、昇降部材４２の下端部に上下方向へ揺動自在に支持された揺動板４５と、揺動板４５の先端部に設けられ、ワンプの一方の切断端部を真空吸着保持する複数の真空吸着盤４６と、昇降部材４２と揺動板４５との間に介設され、揺動板４５を揺動操作する流体圧シリンダ４７とから夫々構成されている。
【００２０】
而して、このワンプ切断端持ち上げ装置４によれば、ワンプ剥離装置２によりワンプの横向き部分の個所が巻取紙Ｐの幅方向に沿って切断されると、ワンプ押え兼高さ検出機構４４のローラ４４ａがワンプを巻取紙Ｐの外表面側へ押え付けた状態で巻取紙Ｐが吊り上げ装置１により略９０度回転操作される。このとき、ワンプ押え装置３により巻取紙Ｐの幅方向に沿って切断されたワンプの下方の切断端が下方へ垂れ下がるのを防止しているため、切断されたワンプが巻取紙Ｐの外表面から剥がれ落ちると云うことがない。巻取紙Ｐが回転操作されてワンプの切断個所が巻取紙Ｐの頂部に来ると、巻取紙Ｐの回転が停止されると共に、真空吸着盤４６がワンプの一方の切断端部を真空吸着保持し、この状態で揺動板４５が流体圧シリンダ４７により上方へ揺動してワンプの一方の切断端両端部を巻取紙Ｐの外表面から上方へ持ち上げる。
【００２１】
前記ワンプガイド装置５は、テーブル７の先端部両側上方位置に夫々巻取紙Ｐの幅方向へ往復移動自在に配設されており、ワンプ切断端持ち上げ装置４により持ち上げられたワンプの切断端部を受け取ってテーブル７上へ案内するものである。
即ち、ワンプガイド装置５は、吊り上げ装置１の左右の吊り下げ台１９に夫々垂下状態で取り付けられており、図３、図４及び図９に示す如く、吊り下げ台１９に垂設された支持部材４８の下端部に上下方向へ揺動自在に支持された揺動部材４９と、揺動部材４９にガイドレール５０を介して巻取紙Ｐの繰り出し方向へ進退移動自在に支持されたワンプガイド板５１と、揺動部材４９とワンプガイド板５１との間に介設され、ワンプガイド板５１を巻取紙Ｐの繰り出し方向へ進退移動させるロッドレスシリンダ５２と、支持部材４８と揺動部材４９との間に介設され、揺動部材４９及びワンプガイド板５１を揺動操作する流体圧シリンダ５３とから夫々構成されている。
又、揺動部材４９及びワンプガイド板５１は、流体圧シリンダ５３によって、巻取紙Ｐのテーブル７上への繰り出し時に邪魔にならないように上向き傾斜姿勢となる待避位置（図３の一点鎖線位置）と、剥離されたワンプをテーブル７上へ案内する水平姿勢となる案内位置（図３の実線位置）とに亘って揺動自在となっている。
更に、ワンプガイド板５１は、ロッドレスシリンダ５２によって、ワンプガイド板５１の先端部がワンプの切断個所から離れた位置にある後退位置（図３の実線位置）と、ワンプガイド板５１の先端部がワンプの切断個所の近傍に位置してワンプ切断端持ち上げ装置４からワンプの切断端部を受け取る前進位置（図３の破線位置）とに亘って進退移動自在となっている。
【００２２】
而して、このワンプガイド装置５によれば、ワンプの一方の切断端両端部がワンプ切断端持ち上げ装置４により上方へ持ち上げられると、揺動部材４９及びワンプガイド板５１が流体圧シリンダ５３により待避位置から案内位置へ揺動すると共に、ワンプガイド板５１がロッドレスシリンダ５２により後退位置から前進位置へ前進し、ワンプガイド板５１の先端部がワンプの持ち上げられた切断端近傍に位置する。この状態でワンプの真空吸着保持状態が解除されると共に、巻取紙Ｐが吊り上げ装置１によりワンプを繰り出す方向へ回転する。これによって、ワンプは、その切断端部からワンプガイド板５１に案内されてテーブル７上へ送り出されることになる。
【００２３】
前記巻取紙切断剥離装置６は、門形フレーム１７に取り付けられ、ワンプが剥離された巻取紙Ｐの表層部分を幅方向に沿って切断して巻取紙Ｐの先端部をテーブル７上へめくり出すものであり、図１、図３及び図１０に示す如く、巻取紙Ｐの側端部外表面に当接して巻取紙Ｐの先端から表層紙の下方位置に潜り込んで巻取紙Ｐの側端面に空隙を形成する昇降自在且つ巻取紙Ｐの幅方向へ往復移動自在な潜り込みへら５４ａを備えたカッター誘導機構５４と、巻取紙Ｐの側端面に形成された空隙に入り込んで巻取紙Ｐの表層部分を巻取紙Ｐの幅方向に亘って切断する昇降自在且つ巻取紙Ｐの幅方向へ往復移動自在なめくり切りカッター５５ａを備えたカッター機構５５と、巻取紙Ｐの外表面へ当接自在な昇降自在な押えローラ５６ａ及び巻取紙Ｐの切断個所へ向って空気を吹き付けて巻取紙Ｐの切断端をめくり上げるテーブル７の先端部下方位置に配設したエアー吹きパイプ５６ｂを備えためくり機構５６とから構成されている。この巻取紙切断剥離装置６には、特開平１０−１８１９６５号公報に開示された構造のものが使用されている。
【００２４】
而して、この巻取紙切断剥離装置６によれば、潜り込みへら５４ａを巻取紙Ｐの一側端部外表面へ当接させ、この状態で巻取紙Ｐを吊り上げ装置１により巻取紙Ｐの先端部を繰り出す方向へ回転させる。これにより、潜り込みへら５４ａが巻取紙Ｐの先端部側端から表層紙の下方位置へ潜り込み、巻取紙Ｐの側端面にめくり切りカッター５５ａが挿入される空隙を形成する。このとき、潜り込みへら５４ａが巻取紙Ｐの表層紙の下へ潜り込んだか否かを潜り込み検知器（図示省略）により検出されている。巻取紙Ｐの側端面に空隙が形成されたら、めくり切りカッター５５ａが前記空隙に入り込むと共に、この状態で巻取紙Ｐの幅方向へ走行する。これによって、巻取紙Ｐの表層部分がめくり切りカッター５５ａにより巻取紙Ｐの幅方向に亘って切断される。巻取紙Ｐの表層部分が幅方向に亘って切断されると、押えローラ５６ａが下降して巻取紙Ｐの切断個所近傍に当接すると共に、エアー吹きパイプ５６ｂから巻取紙Ｐの切断個所へ向って空気が噴出される。これにより、巻取紙Ｐの切断個所が上方へめくり上げられることになる。巻取紙Ｐの切断端がめくり上げられたら、この状態で巻取紙Ｐが吊り上げ装置１により繰り出し方向へ回転される。これにより、幅方向に切断された巻取紙Ｐは、その切断端からテーブル７上へ繰り出されて行くことになる。
【００２５】
前記テーブル７は、図１及び図３に示す如く、ワンプ剥離装置２の上方位置で且つ門形フレーム１７に先端部側から基端部側へ向って下り傾斜となる傾斜姿勢でもって取り付けられており、吊り上げ装置１に支持された巻取紙Ｐから繰り出された巻取紙Ｐの先端部分を支持するものである。
このテーブル７の先端部７ａは、図１１に示す如く、テーブル７の基端部側から分割されて巻取紙Ｐの繰り出し方向に沿って往復移動自在に構成されており、巻取紙Ｐのテーブル７上へのめくり出し時に巻取紙Ｐの切断端へ近接するようになっている。即ち、テーブル７の先端部７ａは、テーブルフレーム７ｂに配設したガイドレール７ｃに巻取紙Ｐの繰り出し方向へ往復移動自在に支持されており、テーブルフレーム７ｂとテーブル７の先端部７ａとの間に介設した流体圧シリンダ７ｄによって、その先端が巻取紙Ｐから離間して巻取紙切断剥離装置６等の作動の邪魔にならない後退位置と、その先端が巻取紙Ｐの頂部近傍に位置してめくり上げられた巻取紙Ｐの先端部を受け取る前進位置とに亘って巻取紙Ｐの繰り出し方向へ進退移動するようになっている。
又、テーブル７の基端部側には、テーブル７上に繰り出された巻取紙Ｐの繰り出し部分を真空吸着によりテーブル７上へ吸引保持する真空吸着機構５７が設けられている。この真空吸着機構５７は、テーブル７の基端部に形成した多数の小孔５７ａ、小孔５７ａに連通するチャンバー（図示省略）、チャンバーに接続された真空ポンプ（図示省略）等から成る。
更に、テーブル７の基端部には、巻取紙Ｐの斜め幅方向に切断された先端部表面に紙継ぎ用前処理テープ７３を突出状態で貼着する際に、紙継ぎ用前処理テープ７３の巻取紙Ｐ先端から突出する部分（粘着部７３ｄ）がテーブル７上面へ貼り付くのを防止する段部が形成されている。
尚、テーブル７の先端部７ａには、図１１に示すように可撓性を有する帯状のプラスチック板９０が前方へ突出する状態で取り付けられている。
【００２６】
前記カッター装置８は、テーブル７の基端部上方位置に配設されており、テーブル７上に繰り出された巻取紙Ｐの繰り出し部分を斜め幅方向に切断するものである。
即ち、カッター装置８は、図１、図２、図３、図１２及び図１３に示す如く、テーブル７の基端部上方位置で且つ門形フレーム１７側に固定したフレーム５８にガイドレール５９を介してテーブル７の斜め幅方向へ往復移動自在に支持された走行台６０と、フレーム５８に設けられ、走行台６０をテーブル７の斜め幅方向へ往復動させる走行台用駆動装置６１（モータ６１ａ、ラック６１ｂ及びピニオンから成る）と、走行台６０に上下方向へ揺動自在に支持されたアーム６２と、アーム６２の先端部に回転自在に支持され、テーブル７の上面に当接するカッター刃６３と、走行台６０とアーム６２との間に介設され、アーム６２を揺動操作する流体圧シリンダ６４とから成り、流体圧シリンダ６４によりアーム６２を下方へ揺動させてカッター刃６３をテーブル７上に繰り出された巻取紙Ｐの繰り出し部分に当接させ、この状態で走行台６０を走行台用駆動装置６１によりテーブル７の斜め幅方向へ走行させることによって、巻取紙Ｐの繰り出し部分を斜め幅方向に切断することができる。
【００２７】
前記隅切りカッター装置９は、テーブル７の基端部上方位置に配設されており、テーブル７上に繰り出された巻取紙Ｐの繰り出し部分を斜め幅方向へ一直線状に切断した場合に切断端の両側端部（耳部）がめくれ易くなるため、巻取紙Ｐの切断端の両側端部を斜めに切断するものである。
即ち、隅切りカッター装置９は、図１、図３、図１２、図１３及び図１４に示す如く、走行台６０に支持軸６５を介して旋回自在に垂設された揺動台６６と、走行台６０側に取り付けられ、揺動台６６を揺動操作する流体圧シリンダ６７と、揺動台６６にロッドレスシリンダ６８を介して巻取紙Ｐの繰り出し方向へ往復移動自在に支持された移動台６９と、移動台６９に上下方向へ揺動自在に支持されたアーム７０と、アーム７０の先端部に設けられ、テーブル７上に繰り出された巻取紙Ｐの繰り出し部分の側端部に当接するカッター刃７１と、移動台６９に取り付けられ、アーム７０を揺動操作してカッター刃７１をテーブル７上へ当接させる流体圧シリンダ７２とから成り、カッター刃７１がテーブル７上に繰り出された巻取紙Ｐの一方の側端部に対向するように走行台６０を移動させ、この位置で揺動台６６を巻取紙Ｐの繰り出し方向に対して若干傾斜させると共に、カッター刃７１をテーブル７上に繰り出された巻取紙Ｐの一方の側端部に当接させ、この状態でカッター刃７１を巻取紙Ｐの繰り出し方向に対して傾斜する方向へ移動させることによって、巻取紙Ｐの一方の耳部を斜めに切断することができ、又、カッター刃７１が巻取紙Ｐの他方の側端部に対向するように走行台６０を移動させ、この位置で揺動台６６を前記と反対方向へ傾斜させると共に、カッター刃７１を巻取紙Ｐの他方の側端部に当接させ、この状態でカッター刃７１を巻取紙Ｐの繰り出し方向に対して傾斜する方向へ移動させることによって、巻取紙Ｐの他方の耳部を斜めに切断することができる。
【００２８】
前記テープ貼着装置１０は、テーブル７の基端部上方位置に配設されており、巻取紙Ｐの先端部を止めるための紙継ぎ用前処理テープ７３（タブと紙継ぎ用粘着層を形成するための両面粘着テープとを一体化した構造のテープ）を斜め幅方向に切断された巻取紙Ｐの先端部表面に切断端に沿って突出状態で貼着するものである。
【００２９】
尚、紙継ぎ用前処理テープ７３は、図１５に示す如く、紙製の長尺状のシート基材７３ａと、シート基材７３ａの表面全域に形成され、印刷用輪転機へ繰り出されている巻取紙Ｐの走行部分に貼着される紙継ぎ用粘着層７３ｂと、シート基材７３ａの裏面の一方の側部にシート基材７３ａの長手方向に沿って形成され、切断加工された巻取紙Ｐの先端部表面に貼着される粘着層７３ｃと、シート基材７３ａの裏面の他方の側部にシート基材７３ａの長手方向に沿って形成され、巻取紙Ｐの外表面へ貼着される表層剥離可能な両面粘着テープ構造の粘着部７３ｄと、シート基材７３ａの紙継ぎ用粘着層７３ｂの表面に剥離自在に貼着され長尺状の保護紙７３ｅとから構成されており、保護紙７３ｅが外側を向く状態でロール状に巻かれている。
又、紙継ぎ用前処理テープ７３は、その紙継ぎ用粘着層７３ｂが黒色に形成されており、この黒色の紙継ぎ用粘着層７３ｂを巻取紙Ｐの紙継ぎ時に自動紙継ぎが行われたか否かを検知するためのセンサー用タブと兼用させている。
【００３０】
前記テープ貼着装置１０は、紙継ぎ用前処理テープ７３をその粘着部７３ｄが巻取紙Ｐの斜め幅方向に切断された先端から前方へ突出する状態で巻取紙Ｐの幅方向に切断された先端部表面に切断端に沿って貼着するものであり、このテープ貼着装置１０には、特開２００６−３６３７２号公報に開示された前処理テープ貼着装置と同様構造のものが使用されている。
即ち、テープ貼着装置１０は、図１、図３図１２及び図１３に示す如く、テーブル７の基端部上方位置で且つ門形フレーム１７側に固定したフレーム５８にガイドレール５９を介してテーブル７の斜め幅方向へ往復移動自在に支持された走行台６０と、フレーム５８に設けられ、走行台６０をテーブル７の斜め幅方向へ往復動させる走行台用駆動装置６１（モータ６１ａ、ラック６１ｂ及びピニオンから成る）と、走行台６０にガイドレール７４を介して昇降自在に支持され、流体圧シリンダ７５により昇降する昇降板７６と、昇降板７６に回転自在に支持され、ロール状の紙継ぎ用前処理テープ７３を着脱自在に保持する前処理テープ供給リール７７と、昇降板７６に回転自在に支持され、紙継ぎ用前処理テープ７３の繰り出し部分をテーブル７上の巻取紙Ｐの先端部表面に押圧貼着する押圧ローラ７８と、昇降板７６に揺動自在に支持され、紙継ぎ用前処理テープ７３の繰り出し部分を押圧ローラ７８上で保持するアーム体７９と、アーム体７９を揺動操作する流体圧シリンダ８０と、昇降板７６に回転自在に支持され、紙継ぎ用前処理テープ７３の保護紙７３ｅを巻き取る保護紙巻取りリール８１と、保護紙巻取りリール８１を保護紙７３ｅの巻き取り方向へ回転駆動するモータ８２及びロープ伝動機構８３と、昇降板７６に移動自在に支持され、紙継ぎ用前処理テープ７３を切断するテープ用カッター８４と、テープ用カッター８４を往復移動させる流体圧シリンダ８５と、昇降板７６に揺動自在に支持され、テーブル７上の巻取紙Ｐの先端部を押え付ける押えローラ８６と、押えローラ８６を揺動操作する流体圧シリンダ８７と、紙継ぎ用前処理テープ７３及び保護紙７３ｅを案内するガイドローラ８８等から構成されている。
又、紙継ぎ用前処理テープ７３は、前処理テープ供給リール７７から繰り出され、粘着層７３ｃ及び粘着部７３ｄが外側を向くようにして押圧ローラ７８の外周面へ巻き付けられており、アーム体７９により押圧ローラ７８上で保持されていると共に、押圧ローラ７８の外周面位置で保護紙７３ｅが紙継ぎ用粘着層７３ｂから剥離されて保護紙７３ｅのみが保護紙巻取りリール８１へ巻き付けられた状態となっている。
【００３１】
而して、このテープ貼着装置１０によれば、走行台６０を移動させ、紙継ぎ用前処理テープ７３を幅方向に一直線状に切断加工された巻取紙Ｐの先端部とテーブル７上面に跨る状態で巻取紙Ｐの先端部に対向させる。この状態で昇降板７６を下降させて押圧ローラ７８を巻取紙Ｐの先端部表面に押し付けると、粘着層７３ｃがテーブル７上の巻取紙Ｐの先端部表面に貼着される。その後、アーム体７９による紙継ぎ用前処理テープ７３の保持状態を解除し、走行台６０を巻取紙Ｐの幅方向へ走行させる。そうすると、紙継ぎ用前処理テープ７３は、押圧ローラ７８上で保護紙７３ｅが剥離されながら前処理テープ供給リール７７から繰り出されて行き、巻取紙Ｐの先端部表面には切断端に沿って保護紙７３ｅが剥離された紙継ぎ用前処理テープ７３が押圧ローラ７８により貼着されて行くことになる。このとき、紙継ぎ用前処理テープ７３は、その粘着部７３ｄが巻取紙Ｐの先端から前方へ突出する状態で巻取紙Ｐの先端部表面に貼着されるが、テーブル７に段部を形成しているために粘着部７３ｄがテーブル７上面に付着することもない。又、剥離された保護紙７３ｅは、モータ８２及びロープ伝動機構８３により保護紙７３ｅを巻き取る方向へ回転している保護紙巻取りリール８１に順次巻き取られて行く。
巻取紙Ｐの先端部表面に所定長さの紙継ぎ用前処理テープ７３が貼着されると、走行台６０の移動が停止され、この位置で昇降板７６が若干上昇して押圧ローラ７８を持ち上げると共に、アーム体７９により紙継ぎ用前処理テープ７３を押圧ローラ７８上で保持し、この状態でテープ用カッター８４により紙継ぎ用前処理テープ７３が切断される。これにより、巻取紙Ｐの先端部表面に切断端に沿って紙継ぎ用前処理テープ７３が突出状態で貼着される。このとき、テーブル７上の巻取紙Ｐの先端部分は、押えローラ８６によりテーブル７から浮き上がるのを防止されているため、テープ用カッター８４により傷付けられることもない。
【００３２】
前記扱き装置１１は、門形フレーム１７に設けられており、テーブル７上に繰り出されている巻取紙Ｐの先端部を巻取紙Ｐの外表面上で軽く扱きながら巻き戻し、巻取紙Ｐの外表面へ皺ができないように巻取紙Ｐの先端部を巻取紙Ｐの外表面へ密着状態で巻き付けて行くものである。この扱き装置１１には、回転ブラシ方式のものが使用されている。
【００３３】
前記押圧装置１２は、門形フレーム１７に設けられており、テーブル７上に繰り出されている巻取紙Ｐの先端部を巻き戻す際に、紙継ぎ用前処理テープ７３の巻取紙Ｐの先端から突出する部分（粘着部７３ｄ）を巻取紙Ｐの外表面へ押し付けながら貼着するものである。この押圧装置１２には、ローラ構造のものが使用されている。
【００３４】
前記ワンプ・損紙処理装置１３は、テーブル７の下流側位置に配設されており、テーブル７から排出されたワンプ及び巻取紙Ｐの表層部分（損紙）を丸く巻き取った後、偏平状に押し潰して排出するものである。
【００３５】
前記リフター装置１４は、ワンプ・損紙処理装置１３の近傍位置に配設されており、ワンプ・損紙処理装置１３から排出された偏平状のワンプ及び巻取紙Ｐの表層部分を夫々受け取ってバスケット８９へ廃棄するものである。
【００３６】
次に、上述した巻取紙Ｐの自動紙継ぎ用処理装置を用いてワンプ付の巻取紙Ｐからワンプを除去して巻取紙Ｐに紙継ぎ用の前処理を施す場合について説明する。
【００３７】
無人搬送車１６により搬送されて来たワンプ付の巻取紙Ｐが吊り上げ装置１により無人搬送車１６から所定の高さ位置まで持ち上げられて回転自在に支持されると、ワンプ剥離装置２が作動してワンプの横向き部分の個所を巻取紙Ｐの幅方向に亘って切断する。このとき、ワンプの切断された一端部が下方へ垂れ下がらないようにワンプ押え装置３により巻取紙Ｐの外表面へ押え付けられている。
【００３８】
ワンプが巻取紙Ｐの幅方向に切断されると、吊り上げ装置１の巻取紙回転用モータ２４が作動してワンプの切断個所が巻取紙Ｐの頂部付近に来るように巻取紙Ｐを略９０度回転させる。このとき、ワンプ押え兼高さ検出機構４４のローラ４４ａがワンプを巻取紙Ｐの外表面へ押え付けた状態で巻取紙Ｐが吊り上げ装置１の巻取紙回転用モータ２４により回転操作される。又、ワンプの切断された一端部が下方へ垂れ下がらないようにワンプ押え装置３により巻取紙Ｐの外表面へ押え付けられていることは勿論である。
【００３９】
巻取紙Ｐが回転操作されてワンプの切断個所が巻取紙Ｐの頂部に来ると、巻取紙Ｐの回転が停止されると共に、一対のワンプ切断端持ち上げ装置４が作動してワンプの一方の切断端両端部を上方へ持ち上げる。又、一対のワンプガイド装置５が作動してワンプガイド板５１の先端を持ち上げられたワンプの切断端近傍に位置させる。この状態でワンプの真空吸着保持状態が解除されると共に、巻取紙Ｐが吊り上げ装置１の巻取紙回転用モータ２４によりワンプを繰り出す方向へ回転する。これによりワンプの切断端がワンプガイド板５１に案内されてテーブル７上へ送り出されることになる。
このとき、一対のワンプ切断端持ち上げ装置４によりワンプの一方の切断端両端部を吸着保持して持ち上げ、この状態で一対のワンプガイド装置５のワンプガイド板５１をワンプの切断端部近傍へ移動させ、当該ワンプガイド板５１によりワンプの切断端部を受け取ってテーブル７上へ案内するようにしているため、切断されたワンプの切断端がテーブル７の先端へ引っ掛かると云うことがなく、ワンプをテーブル７上へ円滑に且つスムースに案内することができる。
【００４０】
テーブル７上へ送り出されたワンプは、テーブル７からワンプ・損紙処理装置１３へ送り込まれ、ここで丸く巻き取られてから偏平状に押し潰された後、リフター装置１４に受け渡されてリフター装置１４からバスケット８９へ廃棄される。
【００４１】
ワンプが巻取紙Ｐから切断剥離されると、巻取紙切断剥離装置６が作動して巻取紙Ｐの表層部分を幅方向に沿って切断した後、テーブル７の先端部７ａが後退位置から前進位置へ前進し、この状態で巻取紙切断剥離装置６のめくり機構５６により巻取紙Ｐの切断端をめくり上げると共に、吊り上げ装置１の巻取紙回転用モータ２４が巻取紙Ｐを繰り出す方向へ回転させる。これにより、巻取紙Ｐの表層部分の切断端がテーブル７上へ繰り出されて行く。このとき、テーブル７の先端部７ａを巻取紙Ｐの切断端へ近接させているため、テーブル７上への巻取紙Ｐのめくり出しを円滑に且つ確実に行うことができる。又、巻取紙Ｐは、探傷用センサー（図示省略）により汚損や損傷が検出されつつ、テーブル７上に順次繰り出されて行く。更に、テーブル７上に繰り出されてテーブル７の下流側から排出される巻取紙Ｐの繰り出し部分は、ワンプ・損紙処理装置１３により順次丸く巻き取られて行く。
【００４２】
巻取紙Ｐの奇麗な部分がテーブル７上へ繰り出された時点で巻取紙Ｐの繰り出しが停止されると共に、テーブル７の真空吸着機構５７が作動して巻取紙Ｐの奇麗な繰り出し部分をテーブル７上へ吸引固定する。この状態で隅切りカッター装置９が作動して巻取紙Ｐのテーブル７上に繰り出されている部分の一方の側端部を斜めに切断し、引き続きカッター装置８が作動して巻取紙Ｐのテーブル７上に繰り出されている部分を巻取紙Ｐの斜め幅方向へ切断する。その後、再度隅切りカッター装置９が作動して巻取紙Ｐのテーブル７上に繰り出されている部分の他方の側端部を斜めに切断する。これにより、巻取紙Ｐのテーブル７上に繰り出されている部分が略台形状に切断加工されると共に、巻取紙Ｐの表層部分（損紙）が分離される。
尚、分離された巻取紙Ｐの表層部分（損紙）は、テーブル７から排出されてワンプ・損紙処理装置１３へ送り込まれ、ここで丸く巻き取られて偏平状に押し潰された後、リフター装置１４によりバスケット８９へ廃棄される。
【００４３】
巻取紙Ｐのテーブル７上に繰り出された部分が切断加工されると、テープ貼着装置１０が作動して巻取紙Ｐの先端部表面に切断端に沿って紙継ぎ用前処理テープ７３が突出状態で貼着される。このとき、紙継ぎ用前処理テープ７３は、その粘着部７３ｄが巻取紙Ｐの先端から前方へ突出する状態で且つ紙継ぎ用粘着層７３ｂの保護紙７３ｅが剥離された状態で巻取紙Ｐの先端部表面に貼着される。
【００４４】
最後に、吊り上げ装置１、扱き装置１１及び押圧装置１２が作動し、テーブル７上に繰り出されている巻取紙Ｐの先端部が扱き装置１１及び吊り上げ装置１の協同作用により扱かれながら巻き戻されると共に、紙継ぎ用前処理テープ７３が押圧装置１２により巻取紙Ｐの外表面へ押圧されて紙継ぎ用前処理テープ７３の粘着部７３ｄが巻取紙Ｐの外表面へ止着される。従って、紙継ぎ用前処理テープ７３は、巻取紙Ｐの先端部及び巻取紙Ｐの外表面へ跨った状態で貼着されることになり、巻取紙Ｐの先端部を巻取紙Ｐの外表面へ止着することになる。
【００４５】
このようにして、巻取紙の自動紙継ぎ用装置によって、巻取紙Ｐのワンプの除去処理と紙継ぎ用の前処理が行われる。この巻取紙の自動紙継ぎ用処理装置は、ワンプと巻取紙Ｐの表層部分との切断剥離を別々に行うようにしているため、従来の装置のように巻取紙Ｐの表層部分が必要以上に切断剥離されると云うことがなく、巻取紙Ｐの損紙の量を低減することができる。
そして、ワンプが切断剥離されて紙継ぎ用前処理が施された巻取紙Ｐは、吊り上げ装置１から無人搬送車１６へ積載され、無人搬送車１６により印刷用輪転機の給紙部へ搬送されて行く。
【図面の簡単な説明】
【００４６】
【図１】本発明の実施の形態に係る巻取紙の自動紙継ぎ用処理装置の側面図である。
【図２】同じく巻取紙の自動紙継ぎ用処理装置の平面図である。
【図３】自動紙継ぎ用処理装置の要部の側面図である。
【図４】自動紙継ぎ用処理装置の要部の正面図である。
【図５】ワンプ剥離装置の正面図である。
【図６】ワンプ剥離装置の平面図である。
【図７】ワンプ剥離装置の側面図である。
【図８】ワンプ切断端持ち上げ装置を示し、（Ａ）はワンプ切断端持ち上げ装置の側面図、（Ｂ）はワンプ切断端持ち上げ装置の正面図、（Ｃ）はワンプ切断端持ち上げ装置の一部省略底面図である。
【図９】ワンプガイド装置を示し、（Ａ）はワンプガイド装置の正面図、（Ｂ）はワンプガイド装置の側面図である。
【図１０】巻取紙切断剥離装置の一部省略正面図である。
【図１１】テーブルを示し、（Ａ）はテーブルの平面図、（Ｂ）はテーブルの側面図である。
【図１２】カッター装置、隅切りカッター装置及びテープ貼着装置を示し、（Ａ）はその正面図、（Ｂ）は一部省略側面図である。
【図１３】カッター装置、隅切りカッター装置及びテープ貼着装置の拡大正面図である。
【図１４】隅切りカッター装置の側面図である。
【図１５】紙継ぎ用前処理テープの斜視図である。
【符号の説明】
【００４７】
１は吊り上げ装置、２はワンプ剥離装置、４はワンプ切断端持ち上げ装置、５はワンプガイド装置、６は巻取紙切断剥離装置、７はテーブル、７ａはテーブルの先端部、８はカッター装置、１０はテープ貼着装置、４６はワンプ切断端持ち上げ装置の真空吸着盤、５１はワンプガイド装置のワンプガイド板、７３は紙継ぎ用前処理テープ、Ｐは巻取紙。
【図１】
2008290787.tif 000003
【図２】
2008290787.tif 000004
【図３】
2008290787.tif 000005
【図４】
2008290787.tif 000006
【図５】
2008290787.tif 000007
【図６】
2008290787.tif 000008
【図７】
2008290787.tif 000009
【図８】
2008290787.tif 000010
【図９】
2008290787.tif 000011
【図１０】
2008290787.tif 000012
【図１１】
2008290787.tif 000013
【図１２】
2008290787.tif 000014
【図１３】
2008290787.tif 000015
【図１４】
2008290787.tif 000016
【図１５】
2008290787.tif 000017